(57)【特許請求の範囲】
【請求項１】
測位位置及び測位時間に応じてユーザの移動速度を測定する測定手段と、
前記測位位置及び測位時間に基づいて前記ユーザの進行方向を特定する特定手段と、
前記特定された進行方向に応じて、地図を回転して表示可能な表示手段と
を備え、
前記表示手段は、前記測定された移動速度が所定の回転停止閾値以下である場合、前記回転を停止する、端末装置。
【請求項２】
前記表示手段は、前記測定された移動速度が所定の方向表示閾値以上である場合、前記ユーザの進行方向を示す形状の方向表示画像を表示する、請求項１に記載の端末装置。
【請求項３】
前記表示手段は、前記測定された移動速度が前記方向表示閾値未満の所定の範囲である場合、前記移動速度が所定の方向表示閾値以上であるときの前記方向表示画像よりも広い角度の範囲で前記ユーザの進行方向を示す形状で前記方向表示画像を表示する、請求項２に記載の端末装置。
【請求項４】
前記測位位置及び測位時間についての測位の精度を判定する判定手段を備え、
前記回転停止閾値は、前記判定された精度が高いほど、低い値に設定される、請求項１から３のいずれか一項に記載の端末装置。
【請求項５】
前記回転停止閾値は、前記ユーザの移動手段に応じて異なる値に設定される、請求項１から４のいずれか一項に記載の端末装置。
【請求項６】
前記表示手段は、前記ユーザの測位情報に基づいて特定された現在地に応じて前記地図上を移動する現在地画像を表示し、
前記表示手段は、前記測定された移動速度が所定の移動停止閾値以下である場合、前記現在地画像の前記移動を停止する、請求項１から５のいずれか一項に記載の端末装置。
【請求項７】
端末装置の表示制御方法であって、
測位位置及び測位時間に応じてユーザの移動速度を測定する測定ステップと、
前記測位位置及び測位時間に基づいて前記ユーザの進行方向を特定する特定ステップと、
前記特定された進行方向に応じて、地図を回転して表示可能な表示ステップと
を備え、
前記表示ステップは、前記測定された移動速度が所定の回転停止閾値以下である場合、前記回転を停止する、表示制御方法。
【請求項８】
コンピュータを、
測位位置及び測位時間に応じてユーザの移動速度を測定する測定手段、
前記測位位置及び測位時間に基づいて前記ユーザの進行方向を特定する特定手段、
前記特定された進行方向に応じて、地図を回転して表示可能な表示手段
を備える端末装置として機能させるためのプログラムであって、
前記表示手段は、前記測定された移動速度が所定の回転停止閾値以下である場合、前記回転を停止する、ように機能させるためのプログラム。
【発明の詳細な説明】
【技術分野】
【０００１】
本発明は、表示制御技術に関する。
【背景技術】
【０００２】
近年、例えばＧＰＳ（Ｇｌｏｂａｌ  Ｐｏｓｉｔｉｏｎｉｎｇ  Ｓｙｓｔｅｍ）、基地局、無線ルーター等から受信した信号を用いて端末装置を測位し、端末装置を携帯するユーザの現在地を特定する技術が知られている。このような技術として、特許文献１には、移動体の移動速度に応じた現在位置マークを読み出し、表示部に表示された地図における移動体の現在位置に現在位置マークを表示するナビゲーション装置が開示されている。
【０００３】
このように端末装置の現在位置（測位位置）を時間の経過とともに特定することによって、時間が経過する順に結んだ測位位置間の線の向きからユーザの進行方向を特定することも可能である。
【先行技術文献】
【特許文献】
【０００４】
【特許文献１】特開平８−１２８８３８号公報
【発明の概要】
【発明が解決しようとする課題】
【０００５】
しかしながら、何らかの方法で測位された端末装置の位置は、測位の精度が低いほど、実際の位置とは異なる。例えば、ＧＰＳから受信した信号に基づく測位の場合、数メートルから数十メートル程度の範囲で誤差が生じる場合がある。このように誤差が生じうる測位位置を用いてユーザの進行方向を特定すると、実際の進行方向とは異なる方向が特定されてしまう場合がある。従って、このように特定された進行方向に基づく方法により、端末装置の表示に対して何らかの更新をした場合、ユーザを混乱させてしまい、端末装置の利便性を低下させてしまう場合がある。
【０００６】
本発明は上記に鑑みてなされたものであり、その課題は、より利便性の高い端末装置に関する技術を提供することにある。
【課題を解決するための手段】
【０００７】
本発明に係る端末装置は、測位情報に応じてユーザの移動速度を測定する測定手段と、前記測位情報に基づいて前記ユーザの進行方向を特定する特定手段と、前記特定された進行方向に応じて、地図を回転して表示可能な表示手段とを備え、前記表示手段は、前記測定された移動速度が所定の回転停止閾値以下である場合、前記回転を停止する。
【０００８】
本発明に係る表示制御方法は、端末装置の表示制御方法であって、測位情報に応じてユーザの移動速度を測定する測定ステップと、前記測位情報に基づいて前記ユーザの進行方向を特定する特定ステップと、前記特定された進行方向に応じて、地図を回転して表示可能な表示ステップとを備え、前記表示ステップは、前記測定された移動速度が所定の回転停止閾値以下である場合、前記回転を停止する。
【０００９】
本発明に係るプログラムは、コンピュータを、測位情報に応じてユーザの移動速度を測定する測定手段、前記測位情報に基づいて前記ユーザの進行方向を特定する特定手段、前記特定された進行方向に応じて、地図を回転して表示可能な表示手段を備える端末装置として機能させるためのプログラムであって、前記表示手段は、前記測定された移動速度が所定の回転停止閾値以下である場合、前記回転を停止する、ように機能させる。
【００１０】
また、本発明のプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【発明の効果】
【００１１】
本発明によれば、より利便性の高い端末装置に関する技術を提供することができる。
【図面の簡単な説明】
【００１２】
【図１】一実施形態における情報処理システムの概略構成を示す図である。
【図２】一実施形態における端末装置のハードウェア構成の概略を示すブロック図である。
【図３】一実施形態における端末装置のソフトウェア構成の概略を示すブロック図である。
【図４】一実施形態における処理の概要を説明するための概念図である。
【図５】一実施形態における処理の概要を説明するための概念図である。
【図６】一実施形態において表示部に表示される画像の例を示す図である。
【図７】一実施形態における処理のフローを示す図である。
【発明を実施するための形態】
【００１３】
以下、本発明の実施形態について、図面を参照しつつ詳細に説明する。ただし、発明の範囲をこれらに限定するものではない。
【００１４】
［１．情報処理システムの構成］
図１は、本実施形態に係る情報処理システムの概略構成の一例を示す図である。情報処理システム１は、サーバ装置１０及び携帯端末２０などの情報処理装置を主に備える。携帯端末２０は、基地局４０、無線ＬＡＮルーター４１、及び可搬性無線ＬＡＮルーター４２などの中継局、並びにネットワークＮを介してサーバ装置１０と相互に通信することができる。また、携帯端末２０は、ＧＰＳ衛星３０，３１，３２と通信を行うことができる。
【００１５】
ネットワークＮは、サーバ装置１０と携帯端末２０との間で情報を送受信するための通信回線である。例えば、インターネット、ＬＡＮ、専用線、パケット通信網、電話回線、企業内ネットワーク、その他の通信回線、それらの組み合わせ等のいずれであってもよく、有線であるか無線であるかを問わない。
【００１６】
サーバ装置１０は、専用又は汎用のサーバ・コンピュータなどの情報処理装置を用いて実現することができ、例えば、ＣＰＵ（Ｃｅｎｔｒａｌ  Ｐｒｏｃｅｓｓｉｎｇ  Ｕｎｉｔ）がＲＯＭ（Ｒｅａｄ  Ｏｎｌｙ  Ｍｅｍｏｒｙ）等に格納された所定のプログラムを実行することにより、各種の機能実現手段として機能する。なお、サーバ装置１０は、単一の情報処理装置より構成されるものであっても、ネットワーク上に分散した複数の情報処理装置より構成されるものであってもよい。
【００１７】
［２．端末装置のハードウェア構成］
図２は、端末装置である携帯端末２０のハードウェア構成の概略を示すブロック図である。図２に示すように、携帯端末２０は、制御部２１、通信部２２、記憶部２３、操作部２４、表示部２５及び測位部２６を主に備える。制御部２１は、ＣＰＵ２１ａ及びメモリ２１ｂを主に備えて構成される。各構成の説明は後述する。携帯端末２０は、例えば、ＣＰＵ２１ａがメモリ２１ｂ等に格納された所定のプログラムを実行することにより、各種の機能実現手段として機能する。
【００１８】
制御部２１は、携帯端末２０の各種構成の動作を制御し、また、各種処理の実行を制御する。制御部２１において実行される処理の詳細は後述する。通信部２２は、外部の他の装置と通信するための通信インタフェースである。
【００１９】
記憶部２３は、ハードディスク等の記憶装置によって構成される。記憶部２３は、各情報処理装置における処理の実行に必要な各種プログラムや各種の情報を記憶する。操作部２４は、ユーザからの操作指示を受け付けるためのユーザインタフェースである。表示部２５は、各種の画像や、各情報処理装置による処理結果を表示するためのユーザインタフェースである。
【００２０】
測位部２６は、ＧＰＳ衛星３０，３１，３２や通信機器（例えば基地局４０やルーター４１，４２）から受信した信号に基づいて、携帯端末２０の位置（例えば、緯度、経度）を特定し、当該位置を特定した日時を特定する（すなわち、測位情報を特定する）処理を行う。測位部２６は、特定した測位情報を出力する。なお、携帯端末２０が備えるジャイロセンサ、地磁気センサ、加速度センサ、気圧センサなどの各種のセンサ（図示せず）により検知された情報をＧＰＳ衛星３０，３１，３２等からの信号と共に用いて、携帯端末２０の測位情報を特定することができる。
【００２１】
［３．端末装置のソフトウェア構成］
携帯端末２０は、ソフトウェア構成（機能構成）として、データベース２１０、進行方向特定部２２０、移動速度測定部２３０、表示制御部２４０及び測位精度判定部２５０を主に備えて構成される。
【００２２】
データベース２１０は、携帯端末２０において実行される処理に必要な情報、及び当該処理により生成された情報など、各種情報を記憶する。
【００２３】
進行方向特定部２２０は、携帯端末２０の測位情報（測位位置及び測位時間）に基づいて、携帯端末２０のユーザの移動について、進行方向を特定する。例えば、進行方向特定部２２０は、所定の時間間隔毎（例えば、１秒毎）の測位位置の情報を測位部２６から取得し、測位時間が経過する順で測位位置間を結んだ線の向きに基づいて、携帯端末２０のユーザの移動について、進行方向を特定する。進行方向は、測位位置間を結んだ複数の線の向きに基づいて特定されてもよい。
【００２４】
図４を参照して、進行方向特定部２２０による進行方向の特定方法の例を説明する。図４には、携帯端末２０の５つの測位位置が丸印で示されており、各測位位置は、測位時間が経過する順に、測位時間が経過する方向を向く矢線で結ばれている。進行方向特定部２２０は、各測位位置を結ぶ４つの矢線の方向及び長さ等に基づいて、５つの測位位置に対応するユーザの移動の進行方向を特定する。例えば、進行方向特定部２２０は、各測位位置を結ぶ４つの矢線の方向に対して、各矢線の長さで重み付けをした値の平均値に基づいて進行方向を特定することができる。また、この例では、５つの測位位置を用いて進行方向を特定しているが、これに限定せず、任意の数の測位位置（例えば、２個又は１０個など）を用いて進行方向を特定することができる。
【００２５】
なお、図４において、実際の進行方向は直進であるが、５つの測位位置を結ぶ線は直線ではない。これは、測位の精度に応じた大きさで、携帯端末２０の測位された位置と、実際の位置との間に誤差が生じうるためである。
【００２６】
移動速度測定部２３０は、携帯端末２０の測位情報（測位位置及び測位時間）に基づいて、携帯端末２０のユーザの移動速度を測定する。具体的には、移動速度測定部２３０は、所定の時間間隔毎（例えば、１秒毎）の測位位置の情報を測位部２６から取得し、測位時間が経過する順で連続する測位位置間の距離と、測位時間の差とに基づいて、携帯端末２０のユーザの移動についての移動速度を測定する。
【００２７】
図４を参照して、移動速度測定部２３０による移動速度の測定方法の例を説明する。移動速度測定部２３０は、矢線で結ばれた２つの測位位置間の距離と、当該測位位置のそれぞれの測位時刻の差異とを特定し、特定された測位位置間の距離及び測位時刻の差異に基づいて、ユーザの移動速度を測定する。
【００２８】
表示制御部２４０は、表示部２５に各種の情報を表示させるための制御を行う。例えば、表示制御部２４０は、サーバ装置１０から（又は記憶部２３から）取得された地図画像を表示部２５に表示し、当該地図画像上に測位部２６により特定された携帯端末２０の測位位置に基づくユーザの現在地を示すことができる。
【００２９】
表示制御部２４０は、さらに、進行方向特定部２２０により特定された携帯端末２０のユーザの移動の進行方向に基づいて、表示部２５における表示を変更するように制御することができる。
【００３０】
例えば、表示制御部２４０は、地図上におけるユーザの進行方向が上になるように地図を表示するように（すなわち、ヘッドアップで表示するように）制御することができる。すなわち、表示制御部２４０は、携帯端末２０の測位情報に基づくユーザの進行方向に応じて、地図を回転して表示部２５に表示させることができる。
【００３１】
また、表示制御部２４０は、ユーザの進行方向を示す形状の画像（方向表示画像）を表示することができる。なお、方向表示画像を表示させているときに、地図の表示は、ヘッドアップ表示でもよいし、所定の方角が上になるような表示（例えば、ノースアップ表示）であってもよい。また、方向表示画像の表示位置は、地図上におけるユーザの現在地に対応する位置に表示させてもよいし、現在地を示す画像とは別に（すなわち、現在地とは関係のない位置に）方向表示画像を表示させてもよい。
【００３２】
図６を参照して、方向表示画像の例を説明する。図６の（ａ）〜（ｆ）は、方向表示画像の例を示しており、各画像の上方向が進行方向を示す向きである。なお、これらの図は、方向表示画像の例にすぎず、方向を示すことができる形状であれば、どのような画像であっても方向表示画像になりうる。
【００３３】
表示制御部２４０は、さらに、移動速度測定部２３０により測定されたユーザの移動速度に基づいて、表示部２５における表示を変更するように制御することができる。例えば、表示制御部２４０は、移動速度測定部２３０により測定されたユーザの移動速度が所定の値（回転停止閾値）以下である場合、上述した地図の回転を停止するように表示部２５における表示を制御することができる。
【００３４】
図５を参照して、移動速度測定部２３０により測定されたユーザの移動速度が回転停止閾値以下である場合、上述した地図の回転を停止することの意義について説明する。図５は、携帯端末２０を携帯しているユーザが、ゆっくり移動しているとき（例えば、２ｋｍ／ｈ）の携帯端末２０の５つの測位位置を丸印で示しており、各測位位置は、測位時間が経過する順に、測位時間が経過する方向を向く矢線で結ばれている。
【００３５】
上記のとおり、測位の精度に応じた大きさで、携帯端末２０の測位された位置と、実際の位置との間に誤差が生じることがある。従って、このように誤差が生じうる測位位置を用いてユーザの進行方向を特定すると、実際の進行方向とは異なる方向が特定されてしまう場合がある。特定される進行方向と実際の進行方向との間のズレは、ユーザの移動速度が低いほど（具体的には、進行方向を特定するための期間におけるユーザの移動距離が、測位の誤差の程度に対して短いほど）大きくなると考えられる。図５の例は、ユーザがゆっくり移動しているとき、進行方向特定部２２０により特定されたユーザの進行方向が実際の進行方向とは異なる方向を向いていることを示している。
【００３６】
上記の回転停止閾値は、進行方向特定部２２０により特定される進行方向と実際の進行方向との間にズレが生じないような、若しくはズレが生じても小さくなるような速度の値（例えば、２ｋｍ／ｈ）が設定される。なお、回転停止閾値は、ユーザの移動手段に応じた値で設定されてもよい。例えば、車で移動しているときは、１０ｋｍ／ｈで回転停止閾値を設定し、徒歩で移動しているときは、２ｋｍ／ｈで回転停止閾値を設定してもよい。ユーザの移動手段の判定は、任意の方法で行うことができる。本実施例においては、公知の方法で実施することとし、ここでは説明を省略する。なお、後述する閾値（例えば、方向表示閾値及び移動停止閾値）についてもユーザの移動手段に応じた値で設定されてもよい。
【００３７】
以上のように、本実施形態によれば、回転停止閾値を設定し、移動速度測定部２３０により測定されたユーザの移動速度が回転停止閾値以下である場合、地図の回転を停止する。その結果、進行方向特定部２２０により特定された実際とは異なる進行方向に応じて地図が回転されてしまうことにより、ユーザを混乱させてしまうことを防止できる。これにより、ユーザにとっての携帯端末２０の利便性の低下を防ぐことができる。
【００３８】
また、表示制御部２４０は、移動速度測定部２３０により測定されたユーザの移動速度が所定の値（方向表示閾値）以上である場合に、ユーザの進行方向を示す形状の画像（上述の方向表示画像）を表示し、方向表示閾値未満である場合、方向表示画像を表示しないように制御することができる。なお、方向表示閾値は、進行方向特定部２２０により特定される進行方向と実際の進行方向との間にズレが生じないような、若しくはズレが生じても小さくなるような低い速度の値（例えば、２ｋｍ／ｈ）が設定される。
【００３９】
なお、表示制御部２４０は、移動速度の値に応じて、方向表示画像の形状を変更して表示させてもよい。例えば、表示制御部２４０は、移動速度が方向表示閾値以上である場合、図６の（ａ）、（ｂ）、（ｃ）のいずれかの方向表示画像を表示し、移動速度が方向表示閾値を下回ったときに、図６の（ｄ）、（ｅ）、（ｆ）のいずれかを表示させてもよい（例えば、表示されていた（ａ）の画像を、移動速度が方向表示閾値を下回ったときに（ｄ）の画像に変更して表示してもよい）。方向表示画像の形状を変更して表示する方法として、表示制御部２４０は、移動速度が方向表示閾値未満の所定の範囲である場合、移動速度が方向表示閾値以上であるときの方向表示画像よりも広い角度の範囲でユーザの進行方向を示す形状で方向表示画像を表示することができる（例えば、表示されていた（ｂ）の画像を（ｅ）の画像に変更して表示することができる）。
【００４０】
さらに、表示制御部２４０は、移動速度が方向表示閾値よりさらに低い所定の閾値を下回ったときに、他の形状の画像を表示させることができる（例えば、表示されていた（ｅ）の画像を（ｇ）の画像に変更して表示する、又は表示されていた（ｆ）の画像を（ｈ）の画像に変更して表示するなど）。
【００４１】
なお、表示制御部２４０は、移動速度が方向表示閾値未満であるときに、方向表示画像を表示しないように制御することができる。
【００４２】
以上のように本実施形態によれば、表示制御部２４０は、移動速度が低いとき（方向表示閾値未満であるとき）に、広い角度の範囲でユーザの進行方向を示す形状の方向表示画像を表示し、又は方向表示画像を表示しない。その結果、進行方向特定部２２０により特定された実際とは異なる進行方向を方向表示画像が示すことにより、ユーザを混乱させてしまうことを防止できる。これにより、携帯端末２０のユーザの利便性の低下を防ぐことができる。
【００４３】
さらに、表示制御部２４０は、携帯端末２０の測位情報に基づいて特定されたユーザの現在地に対応する地図上の位置に、当該ユーザの現在地を示す現在地画像を表示するように制御する。現在地画像は、ユーザの移動に応じて変化する測位情報に従って、地図上を移動するように表示される。
【００４４】
なお、表示制御部２４０は、移動速度測定部２３０により測定されたユーザの移動速度が所定の値（移動停止閾値）以下である場合、現在地画像の地図上の移動を停止するように制御することができる。すなわち、表示制御部２４０は、移動速度が移動停止閾値以下になった時点で表示されていた位置に現在地画像を表示し、移動速度が移動停止閾値を超えるまで、その位置から移動させずに現在地画像を表示させることができる。移動速度が移動停止閾値を超えたとき、現在地画像は、現在地に対応する地図上の位置を移動するように表示される。
【００４５】
なお、移動停止閾値は、低い速度の値（例えば、２ｋｍ／ｈ）が設定されることが好ましい。このように移動停止閾値が設定されることによって、ユーザが移動していないのにもかかわらず、測位の精度に起因して、ユーザが移動しているように表示部２５への表示が行なわれ、ユーザが混乱することを防止することができる。
【００４６】
現在地画像として、例えば、図６に示すような画像を用いることができる。なお、図６の（ａ）〜（ｆ）の画像は、ユーザの進行方向を示すことができるため、これらの画像を地図上のユーザの現在地に表示することによって、方向表示画像及び現在地画像として用いることができる。
【００４７】
図３の説明に戻る。測位精度判定部２５０は、測位部２６による測位の精度（測位部２６により特定された測位情報についての精度）を判定する。測位の精度の判定方法は任意の方法により行うことができる。例えば、携帯端末２０がＧＰＳ衛星３０、基地局４０又はルーター４１から受信した信号の強度が強いほど、これらの信号に基づいて実施された測位の精度は高いと判定し、強度が弱いほど精度が低いと判定することができる。測位精度判定部２５０は、測位の精度の判定結果を任意方法で出力することができる。例えば、測位精度判定部２５０は、測位の精度の判定結果を５段階、又は１０段階のレベルで出力することができる。
【００４８】
測位精度判定部２５０により判定された測位の精度の判定結果を上記の閾値（例えば、回転停止閾値、方向表示閾値、移動停止閾値）の決定に用いることができる。すなわち、精度の判定結果に応じて異なる値を閾値に設定することができる。例えば、判定された測位の精度が高いほど、低い値となるように閾値を設定することができる。すなわち、測位の精度が高いほど、測位位置と、携帯端末２０の実際の位置との間のズレが小さいため、上記の処理に用いられる閾値を低い値に設定することができる。
【００４９】
次に、図７を参照して、携帯端末２０において実行される処理の例のフローを説明する。なお、以下に説明する処理フローに含まれる各処理ステップは、処理内容に矛盾を生じない範囲で、任意に順番を変更して又は並列に実行することができるとともに、各処理ステップ間に他のステップを追加してもよい。また、便宜上１ステップとして記載されているステップは、複数ステップに分けて実行することができる一方、便宜上複数ステップに分けて記載されているものは、１ステップとして把握することができる。なお、各処理ステップの処理の詳細は、既に説明しているためここでは省略する。
【００５０】
まず、ステップＳ１１において、制御部２１は、携帯端末２０の測位情報（測位位置及び測位時間）に基づいて、携帯端末２０のユーザの移動速度を測定する。
【００５１】
ステップＳ１２において、制御部２１は、ステップＳ１１で測定された移動速度が回転停止閾値以下であるか否かを判定する。回転停止閾値以下である場合（Ｓ１２：Ｙｅｓ）、処理はステップＳ１５へ進み、回転停止閾値以下ではない場合（Ｓ１２：Ｎｏ）、処理はステップＳ１３へ進む。
【００５２】
ステップＳ１３において、制御部２１は、携帯端末２０の測位情報に基づいて、携帯端末２０のユーザの移動について、進行方向を特定する。
【００５３】
ステップＳ１４において、制御部２１は、ステップＳ１３で特定されたユーザの進行方向に応じて、地図を回転して表示部２５に（例えば、ヘッドアップで）表示させる。
【００５４】
ステップＳ１５において、制御部２１は、ユーザの進行方向に応じて地図が回転して表示部２５に表示されている場合、当該回転を停止する。
【００５５】
ステップＳ１６において、制御部２１は、表示部２５への表示を終了するか否かを判断し、終了しない場合（Ｓ１６：Ｎｏ）、処理はステップＳ１１へ進み、終了する場合（Ｓ１６：Ｙｅｓ）は、図７に示す処理を終了する。
【００５６】
以上のように、本実施形態によれば、回転停止閾値を設定し、測位情報に基づいて測定されたユーザの移動速度が回転停止閾値以下である場合、地図の回転を停止する。その結果、測位情報に基づいて特定された実際とは異なる進行方向に応じて地図が回転されてしまうことにより、ユーザを混乱させてしまうことがない。これにより、携帯端末２０のユーザの利便性の低下を防ぐことができる。
【００５７】
本発明は、上記した実施の形態に限定されるものではなく、本発明の要旨を逸脱しない範囲内において、他の様々な形で実施することができる。上記実施形態はあらゆる点で単なる例示にすぎず、限定的に解釈されるものではない。
【符号の説明】
【００５８】
１０  サーバ装置、２０  携帯端末、２１  制御部、２１ａ  ＣＰＵ、２１ｂ  メモリ、２２  通信部、２３  記憶部、２４  操作部、２５  表示部、２６  測位部
【図１】
0006530626.tif 000002
【図２】
0006530626.tif 000003
【図３】
0006530626.tif 000004
【図４】
0006530626.tif 000005
【図５】
0006530626.tif 000006
【図６】
0006530626.tif 000007
【図７】
0006530626.tif 000008